(57)【特許請求の範囲】
【請求項１】
屋根上に突出したボルト体を、挟着具本体と押圧板体とで挟着するとともに、係止体で前記押圧板体を押圧することによって屋根に固定される構造とした屋根上物品取付具であって、
前記ボルト体は屋根上において、座金を介してナットで螺着されるようになっており、
前記係止体は、一対の係止片部を連結部で連結したコ字状体に形成されてなり、
前記挟着具本体は、屋根面に添設される脚部と、屋根上に起立する挟着板部と、屋根上物品を固定する台座部とを備えて略コ字形状とされ、前記挟着板部は、外側に向けて開口し、内面に凹凸を形成した凹溝部と、該凹溝部の両側に、それぞれに係止孔を有し、外側側方に突出した一対の固定片とを備えており、
前記押圧板体は、前記挟着具本体の凹溝部に対向し得る、内面に凹凸を形成した凹溝部と、前記固定片が挿通される挿通孔とを備えており、
前記挟着板部の下部の中央には切り欠き空間が形成され、下部の両端には前記脚部の上方につながる起立脚片が形成されており、
前記切り欠き空間には、前記ボルト体に螺着した前記ナットと、その下方の前記座金とが配されるようになっており、
前記挟着具本体の凹溝部と、前記押圧板体の凹溝部との間に前記ボルト体を配し、前記挟着具本体の前記固定片を前記押圧板体の前記挿通孔に挿通させた状態で、前記固定片の前記係止孔に前記係止体の前記係止片部を嵌挿することで前記押圧板体を押圧して前記ボルト体を挟着する構造としたことを特徴とする屋根上物品取付具。
【請求項２】
請求項１において、
前記係止体の前記係止片部は、前記挿通孔への挿入先端を細くしたくさび形状とされることを特徴とする屋根上物品取付具。
【請求項３】
請求項１または２において、
前記凹溝部の内面同士を突き合わせて形成される開口が、突き合わせ方向の径を短径とした略楕円形状であることを特徴とする屋根上物品取付具。
【発明の詳細な説明】
【技術分野】
【０００１】
本発明は、屋根上に突出したボルト体を挟着して固定される構造とした屋根上物品取付具に関する。
【背景技術】
【０００２】
折板屋根の上面に、たとえばテレビアンテナや空調機器、太陽電池パネル、遮熱シート等の各種機器・部材類（屋根上物品）を配設することが実施されており、従来には、各種機器・部材類を屋根上に取り付けるための種々の屋根上物品取付具が提案されている（たとえば、特許文献１、２参照）。
【０００３】
特許文献１、２に記載された屋根は、山部と谷部とが交互に連続してなる折板屋根における山部の頂部で、隣接する屋根材同士を重ねてなる重合部をボルト体とナットの螺着によって連結、固定する重ね式連結構造となっている。そして、その折板屋根に取り付けられる屋根上物品取付具は、屋根材の重合部を折板屋根の下方より貫通して屋根上に突出した、屋根材連結のためのボルト体の軸部を、先端が相対向する挟着片で挟着することで設置できるようになっている。
【０００４】
具体的には、これらの屋根上物品取付具は、略門形に形成され、その両脚片を横方向に貫通する緊締用ボルトおよび緊締用ナットで両脚片を緊締して、両脚片のそれぞれの下端から対向するように延びた両挟着片がボルト体を挟着する構造となっている。挟着片の先端がボルト体の軸部に係止されるので、屋根上物品取付具は容易に外れることなく屋根上にしっかりと固定される。
【先行技術文献】
【特許文献】
【０００５】
【特許文献１】特開２０１３−１１０６８号公報
【特許文献２】特開２０１３−１１０６７号公報
【発明の概要】
【発明が解決しようとする課題】
【０００６】
しかしながら、特許文献１の屋根上物品取付具は、２部材よりなる挟着具本体を用いた構成であるため、現場での取付作業は面倒である。また、２部材をボルト、ナットで仮締めした状態で出荷すれば現場の作業を効率よく行えるが、輸送時にボルト、ナットが緩んで両挟着具本体が分離するおそれがあるし、きつく締めておけば現場で緩めなくてはならず、手間がかかる。
【０００７】
また、特許文献２の屋根上物品取付具は、１部材よりなる挟着具本体を用いた構成であるため、取り扱いはしやすいが、一体化された脚片を締め付ける作業には力を要する。
【０００８】
このように、ボルト、ナットを用いて屋根上に固定する屋根上物品取付具では上記のように種々の問題があり、ボルト、ナットを使用せずに、迅速かつ強固に屋根上に固定できる屋根上物品取付具が求められていた。
【０００９】
本発明は、このような事情を考慮して提案されたもので、その目的は、ボルト、ナットを使用することなく迅速かつ強固に屋根上に固定できる屋根上物品取付具を提供することにある。
【課題を解決するための手段】
【００１０】
上記目的を達成するために、請求項１に記載の屋根上物品取付具は、屋根上に突出したボルト体を、挟着具本体と押圧板体とで挟着するとともに、係止体で押圧板体を押圧することによって挟着して屋根に固定される構造とした屋根上物品取付具であって、ボルト体は屋根上において、座金を介してナットで螺着されるようになっており、係止体は、一対の係止片部を連結部で連結したコ字状体に形成されてなり、挟着具本体は、屋根面に添設される脚部と、屋根上に起立する挟着板部と、屋根上物品を固定する台座部とを備えて略コ字形状とされ、挟着板部は、外側に向けて開口し、内面に凹凸を形成した凹溝部と、該凹溝部の両側に、それぞれに係止孔を有し、外側側方に突出した一対の固定片とを備えており、押圧板体は、挟着具本体の凹溝部に対向し得る、内面に凹凸を形成した凹溝部と、固定片が挿通される挿通孔とを備えており、挟着板部の下部の中央には切り欠き空間が形成され、下部の両端には脚部の上方につながる起立脚片が形成されており、切り欠き空間には、ボルト体に螺着したナットと、その下方の座金とが配されるようになっており、押圧板体は、挟着具本体の凹溝部に対向し得る、内面に凹凸を形成した凹溝部と、固定片が挿通される挿通孔とを備えており、挟着具本体の凹溝部と、押圧板体の凹溝部との間にボルト体を配し、挟着具本体の固定片を押圧板体の挿通孔に挿通させた状態で、固定片の係止孔に係止体の係止片部を嵌挿することで押圧板体を押圧してボルト体を挟着する構造としたことを特徴とする。
【００１１】
請求項２に記載の屋根上物品取付具は、係止体の係止片部は挿通孔への挿入先端を細くしたくさび形状とされることを特徴とする。
【００１２】
請求項３に記載の屋根上物品取付具は、凹溝部の内面同士を突き合わせて形成される開口が、突き合わせ方向の径を短径とした略楕円形状であることを特徴とする。
【発明の効果】
【００１３】
本発明によれば、次のような効果がある。
【００１４】
請求項１に記載の屋根上物品取付具によれば、上述の構成となっているため、屋根上物品取付具自身をボルト、ナットを使用することなく迅速かつ強固に屋根上に固定できる。また、緊締作業など力を要する作業をする必要がないため作業を迅速に効率的に実施でき、凹溝部同士がボルト体を挟着する構造であるため屋根上への強固な固定を実現できる。
【００１５】
請求項２に記載の屋根上物品取付具によれば、係止孔に嵌挿する係止体の係止片部がくさび形状であるため、ボルト体の径の大小の誤差や係止孔の成形誤差を吸収して、屋根上物品取付具をしっかりと固定することができる。
【００１６】
請求項３に記載の屋根上物品取付具によれば、凹溝部の内面同士を突き合わせて形成される開口が、突き合わせ方向の径を短径とした略楕円形状であるので、種々の径のボルト体に屋根上物品取付具を固定することができる。
【図面の簡単な説明】
【００１７】
【図１】本発明の一実施形態に係る屋根上物品取付具の分解斜視図である。
【図２】（ａ）は凹溝部同士の突合せ状態を示した部分拡大横断面図、（ｂ）は径大なボルト体を挟着した状態の部分拡大横断面図である。
【図３】（ａ）〜（ｃ）は屋根上物品取付具の屋根への取付手順を示す、図１のＡ−Ａ線に対応した縦断面図である。
【図４】（ａ）、（ｂ）は係止体の装着手順を示す、図１のＢ−Ｂ線に対応した拡大縦断面図である。
【図５】屋根上物品取付具の取付対象である屋根（折板屋根）の部分斜視図である。
【図６】本発明の他の実施形態に係る屋根上物品取付具の取付状態を示す縦断面図である（図１のＡ−Ａ線に対応）。
【発明を実施するための形態】
【００１８】
以下に、本発明の実施の形態について、添付図面を参照しながら説明する。
【００１９】
図１に示した屋根上物品取付具１が取り付けられる屋根としては、図５に示した折板屋根Ｙが挙げられる。また、屋根の素材としては、金属や合成樹脂、セメント系等のものが適用できる。
【００２０】
図例として示した折板屋根Ｙは、山部Ｙ１と谷部Ｙ２とが交互に連続する屋根であって、複数の折板屋根材を側端縁の山部Ｙ１の頂部Ｙ１ａで重合し、その重合部でボルト体ＢとナットＣ１の螺着によって連結した重ね式連結構造となっている。
【００２１】
このナットＣ１は、図例においては、その下方の山状の座金Ｃ２とともに座金部Ｃを構成している。座金Ｃ２は、ボルト孔からの水の浸入を防止するための防水パッキン（不図示）を覆っている。なお、座金部Ｃは、図例のような座金Ｃ２を含まず螺着用のナットＣ１のみで構成してもよい。
【００２２】
また、折板屋根Ｙの裏側には、折板屋根Ｙと同様の折板形状をなす、ボルト止めのための支持金具Ｙ３（図６にのみ図示）が取り付けられている。折板屋根Ｙはこの支持金具Ｙ３に支持される。なお、屋根上物品取付具１を取り付けるためのボルト体Ｂの取付位置は、隣接する折板屋根材の重合部に限らず、他の頂部Ｙ１ａに支持金具Ｙ３を用いてボルト体Ｂを取り付けてもよい。
【００２３】
この屋根上物品取付具１は、挟着具本体１０、押圧板体２０およびそれらをボルト体Ｂに固定するための係止体３０を有してなる。挟着具本体１０および押圧板体２０のそれぞれは、上下方向の凹溝部１２ａ、２１を有しており、凹溝部１２ａ、２１間でボルト体Ｂを挟着する構成となっている。なお、本実施形態では、挟着具本体１０と押圧板体２０とを折板屋根Ｙの頂部Ｙ１ａに沿って並置する例を示した。
【００２４】
挟着具本体１０は、折板屋根Ｙの頂部Ｙ１ａの上面に添設される一対の脚部１１、１１と、脚部１１、１１の端部より折曲され頂部Ｙ１ａ上に起立する挟着板部１２と、屋根上物品を設置する脚部１１、１１に平行な台座部１３とを備えて略コ字形状とされている。
【００２５】
挟着板部１２の上部の外側の側面には、外側に向けて開口し、内面に凹凸１２ａａを形成した凹溝部１２ａが形成されている。その凹溝部１２ａの両側の平板部には、平板部の切り起こしによって外側側方に突出した一対の固定片１２ｂ、１２ｂが形成されている。固定片１２ｂ、１２ｂは、後述する係止体３０が装着される係止孔１２ｂａ、１２ｂａを有している。
【００２６】
挟着板部１２の下部は、その中央が切り欠かれており、下部の両端には、脚部１１、１１につながる起立脚片１２ｃ、１２ｃが形成されている。屋根上物品取付具１を屋根上に設置した際には、この切り欠き空間にナットＣ１（図５参照）と座金Ｃ２（図５参照）とを含む座金部Ｃ（図５参照）の全体が配される。
【００２７】
押圧板体２０は、その幅方向の中央に、挟着具本体１０の凹溝部１２ａに対向し得る凹溝部２１が形成されており、その両側には、挟着具本体１０の固定片１２ｂ、１２ｂが挿通される挿通孔２２、２２が形成されている。
【００２８】
挟着板部１２の凹溝部１２ａと押圧板体２０の凹溝部２１との突き合わせによって両端が開口された筒状体が形成され（図２（ａ）、（ｂ）参照）、凹溝部１２ａ、２１の内面同士を突き合わせることで、ボルト体Ｂを挟着できるようになっている（図１参照）。
【００２９】
また、凹溝部１２ａ、２１同士を突き合わせた状態では、挟着具本体１０の固定片１２ｂが押圧板体２０の挿通孔２２を挿通し、突出した状態にある。
【００３０】
それぞれの凹溝部１２ａ、２１は、挟着板部１２と押圧板体２０とを隙間なく突き合わせた場合の突き合わせ方向の径（両凹溝部１２ａ、２１の溝底間の距離）が、溝幅寸法よりも小さくなるように形成されている。つまり、両凹溝部１２ａ、２１を突き合わせてできた筒状体の横断面は略楕円形状となっている（図２（ａ）参照）。
【００３１】
いずれの凹溝部１２ａ、２１の内面には、凹溝部１２ａ、２１のほぼ全長にわたりねじ溝よりなる凹凸１２ａａ、２１ａが形成されている。凹凸としてはねじ溝に限らず、種々のものが適用でき、複数の略平行な細溝や同様の突条でもよく、梨地状の凹部、凸部などでもよい。凹溝部１２ａ、２１間にはボルト体Ｂが挟着されるので、細溝や突条はボルト体Ｂのねじ山に沿って横方向に形成するほうが望ましい。
【００３２】
このように、ボルト体Ｂを凹溝部１２ａ、２１間に挟み込んだ状態で、挟着具本体１０と押圧板体２０とを、後述する係止体３０で係止、固定することで、ボルト体Ｂを挟着保持することができる。
【００３３】
このような両凹溝部１２ａ、２１によれば、ボルト体Ｂの軸部Ｂ１をしっかりと挟着することができる。また、溝幅寸法を溝底間の長さよりやや大きくしたことにより、図２（ｂ）のような径大なボルト体Ｂも挟着することができる。
【００３４】
また、凹凸１２ａａ、２１ａが形成された両凹溝部１２ａ、２１でボルト体Ｂを挟着する構成であるため、屋根上物品取付具１のボルト体Ｂからのずれや外れが発生しにくく、屋根上物品取付具１を安定的に屋根上に設置することができる。さらに、凹凸１２ａａ、２１ａをボルト体Ｂの軸部Ｂ１に接触させて摩擦力でしっかりと固定できる構成であるため、軸部Ｂ１が錆びて螺合ができないボルト体Ｂに対しても取り付けることができる。
【００３５】
この屋根上物品取付具１は、挟着具本体１０と押圧板体２０とを上記のようにボルト体Ｂに固定するために、係止体３０が用いられる。
【００３６】
係止体３０は、帯状の板片を折曲してなるコ字状体であり、一対の係止片部３１、３１と、それらを連結した連結部３２とより構成されている。係止片部３１、３１は、固定片１２ｂ、１２ｂの係止孔１２ｂａ、１２ｂａに嵌挿するもので、挿入先端を細くしたくさび形状となっている。
【００３７】
このような屋根上物品取付具１は、たとえば図３（ａ）〜（ｃ）（図１におけるＡ−Ａ線断面図）に示した手順で折板屋根Ｙに取り付ければよい。また、図４（ａ）、（ｂ）（図１におけるＢ−Ｂ線断面図）には、この取付手順における係止体３０による挟着具本体１０と押圧板体２０の固定構造を図示した。なお、図４（ａ）、（ｂ）ではボルト体Ｂおよび座金部Ｃの図示を省略した。
【００３８】
まず、挟着具本体１０と押圧板体２０とを、ボルト体Ｂの軸部Ｂ１に対して両側より近づけるようにして挟み込む（図３（ａ）、（ｂ）参照）。ついで、係止体３０の係止片部３１、３１を、押圧板体２０の外側に突出した固定片１２ｂの係止孔１２ｂａに嵌挿し、装着する（図３（ｂ）、（ｃ）および図４（ａ）、（ｂ）参照）。
【００３９】
図４（ａ）、（ｂ）を参照しながら、係止体３０の嵌挿および係止についてさらに詳細に説明する。
【００４０】
係止体３０の係止片部３１が、押圧板体２０の外側に突出した固定片１２ｂの係止孔１２ｂａに遊挿状態にあるときは、挟着具本体１０の挟着板部１２と、押圧板体２０との間には隙間１６が空いていてもよく、係止孔１２ｂａの先端側の一部のみが押圧板体２０の外側に表れた状態にある（図４（ａ）参照）。
【００４１】
そして、係止片部３１をさらに押し下げていき、係止片部３１が係止孔１２ｂａに徐々に挿通していくと、それにともない係止孔１２ｂａが外側に表れてきて、隙間１６も徐々に小さくなる。押圧板体２０がボルト体Ｂ（挟着板部１２）に対しこれ以上押圧できないところまで押圧されると、同時に係止片部３１の押し下げもそれ以上できなくなり、係止孔１２ｂａのほとんどが外側に表れる（図４（ｂ）参照）。
【００４２】
こうして係止体３０をしっかりと挿着することで、両部材によってボルト体Ｂの軸部Ｂ１は押圧され、軸部Ｂ１のねじ溝と凹溝部１２ａ、２１の凹凸１２ａａ、２１ａとが絡み合って、屋根上物品取付具１はしっかりと固定される。
【００４３】
このようにして、屋根上物品取付具１はボルト体Ｂに固定される。係止体３０が係止した状態では、図４（ｂ）のように固定片１２ｂの係止孔１２ｂａのほとんどが押圧板体２０の外側に表れた状態となるが、径大なボルト体Ｂを挟み込む場合には、係止孔１２ｂａの一部は外側に表れずに係止状態となる。なお、係止片部３１が抜け出ないように、係止片部３１の傾斜辺に鋸刃状の凹凸を設けてもよい。
【００４４】
また、図４（ｂ）に２点鎖線で示したように、係止体３０の連結部３２の高さ位置が挟着具本体１０の台座部１３の高さ位置と同一になるように調整したものを用いてもよい。このようにすれば、連結部３２を屋根上物品の載置する台座部の補助板として利用できる。なお、図例のように、連結部３２の幅寸法を大きくすればさらに台座部の補助板として使い勝手がよくなる。
【００４５】
また、固定片１２ｂには丸穴の係止孔を等間隔に複数設けて、かすがい形状の係止体で、ボルト体Ｂの径によって、丸穴の係止孔を選択的に嵌挿して係止するようにしてもよい。
【００４６】
なお、以上に示した係止体３０は一対の係止片部３１、３１を連結部３２を介して一体化したものであるが、固定片１２ｂ、１２ｂ（係止孔１２ｂａ、１２ｂａ）ごとに別体としてもよい。
【００４７】
以上のように、本屋根上物品取付具１は、係止体３０を係止孔１２ｂａに嵌挿することで、挟着具本体１０と押圧板体２０とをボルト体Ｂに固定する構造となっているため、ボルト、ナットを使用することなく、屋根上物品取付具１を迅速かつ強固に屋根上に固定することができる。また、緊締作業など、力を要する作業の必要が発生しないため作業を迅速かつ効率的に実施でき、また、凹溝部１２ａ、２１同士がボルト体Ｂを挟着する構造であるため屋根上への強固な固定を実現できる。係止体３０をたとえば金槌などで上部を叩いて押し下げればよく、面倒な作業はほとんど発生しない。
【００４８】
また、係止体３０の係止片部３１はくさび形状であるため、ボルト体Ｂの軸部Ｂ１の径の大小の誤差や係止孔１２ｂａの成形誤差を吸収して、挟着具本体１０と押圧板体２０とをボルト体Ｂにしっかりと固定することができる。
【００４９】
また、上述の実施形態では係止体３０が一対の係止片部３１、３１を一体に設けた構造となっているため、部材を少なくでき、よって部材管理や取り扱いはしやすい。また、係止片部３１、３１間の距離が係止孔１２ｂａ、１２ｂａ間の寸法に対応して形成されているので、屋根上での作業も迅速に行える。特に、係止片部３１、３１間を連結した連結部３２を台座部１３と同様の平板に形成すれば、連結部３２を台座部１３の補助板としても利用できる。
【００５０】
以上の実施形態では、挟着具本体１０と押圧板体２０とを頂部Ｙ１ａに沿って並置する例を示したが、図６に示すように、頂部Ｙ１ａに直交する方向に挟着具本体１０と押圧板体２０とを並置するようにしてもよい。
【００５１】
また、図６に示した屋根上物品取付具１は、押圧板体２０および係止体３０については、図１に示したものと同構成、同形状とされるが、挟着具本体１０は、脚部１１を折板屋根Ｙの頂部Ｙ１ａに設置した際に頂部Ｙ１ａの端部に係合し得る足片１１ａを、脚部１１の先端側にさらに備た構成となっている。
【００５２】
このように脚部１１が足片１１ａを備えているので、屋根上物品取付具１を屋根上に設置した後に発生する回転ずれなどのずれを防止できる。
【符号の説明】
【００５３】
１          屋根上物品取付具
１０        挟着具本体
１１        脚部
１１ａ      足片
１２        挟着板部
１２ａ      凹溝部
１２ａａ    凹凸
１２ｂ      固定片
１２ｂａ    係止孔
１２ｃ      起立脚片
１３        台座部
２０        押圧板体
２１        凹溝部
２１ａ      凹凸
２２        挿通孔
３０        係止体
３１        係止片部
Ｙ          折板屋根
Ｙ１        山部
Ｙ１ａ      頂部
Ｂ          ボルト体
Ｂ１        軸部
Ｃ１        ナット
Ｃ２        座金
【要約】
【課題】ボルト、ナットを使用することなく迅速かつ強固に屋根上に固定できる屋根上物品取付具を提供する。
【解決手段】挟着具本体１０は、脚部１１と、挟着板部１２と、台座部１３とを備えて略コ字形状とされ、挟着板部１２は、外側に向けて開口し、内面に凹凸１２ａａを形成した凹溝部１２ａと、係止孔１２ｂａを有し、外側側方に突出した固定片１２ｂとを備え、押圧板体２０は、挟着具本体１０の凹溝部１２ａに対向し得る、内面に凹凸２１ａを形成した凹溝部２１と、固定片１２ｂが挿通される挿通孔２２とを備え、挟着具本体１０の凹溝部１２ａと、押圧板体２０の凹溝部２１との間にボルト体Ｂを配し、固定片１２ｂを押圧板体２０の挿通孔２２に挿通させた状態で、固定片１２ｂの係止孔１２ｂａに係止体３０を嵌挿することで押圧板体２０を押圧してボルト体Ｂを挟着する構造となっている。
【選択図】図１【図１】
0005640115.tif 000002
【図２】
0005640115.tif 000003
【図３】
0005640115.tif 000004
【図４】
0005640115.tif 000005
【図５】
0005640115.tif 000006
【図６】
0005640115.tif 000007